【手続補正書】
【提出日】平成17年9月8日(2005.9.8)
【手続補正１】
【補正対象書類名】明細書
【補正対象項目名】特許請求の範囲
【補正方法】変更
【補正の内容】
【特許請求の範囲】
【請求項１】
複数の銘柄の株価情報を保存するための記憶手段と、
前記各銘柄の株価情報に基づいて、各銘柄を複数の時系列パターンのいずれかに分類するパターン分類演算手段と、
前記各時系列パターンに分類された銘柄数に関するパターン割合表示データを時系列パターンごとに作成するパターン割合表示作成手段と、
前記各時系列パターンのチャート画像を並べて表示し、かつ、各パターン割合表示データを前記各チャート画像に対応付けて表示する表示手段とを備えることを特徴とする相場情報表示装置。
【請求項２】
請求項１に記載の相場情報表示装置であって、
前記パターン割合表示作成手段は、前記パターン割合表示データとして、前記各銘柄数に応じた面積を有するパターン割合表示画像を時系列パターンごとに作成し、
前記表示手段は、前記各パターン割合表示画像を前記各チャート画像に対応付けて表示することを特徴とする相場情報表示装置。
【請求項３】
請求項１に記載の相場情報表示装置であって、
前記各時系列パターンに分類された銘柄の株価情報を取得し、前記取得した株価情報に基づいて前記チャート画像を時系列パターンごとに作成するチャートパターン作成手段を備え、
前記表示手段は、作成された各チャート画像を並べて表示することを特徴とする相場情報表示装置。
【請求項４】
請求項１に記載の相場情報表示装置であって、
前記記憶手段は、前記各時系列パターンのチャート画像をあらかじめ保存し、
前記表示手段は、あらかじめ保存された各チャート画像を並べて表示することを特徴とする相場情報表示装置。
【請求項５】
複数の銘柄の株価情報を保存するステップと、
前記各銘柄の株価情報に基づいて各銘柄を複数の時系列パターンのいずれかに分類するステップと、
前記各時系列パターンに分類された銘柄数に関するパターン割合表示データを時系列パターンごとに作成するステップと、
前記各時系列パターンのチャート画像を並べて表示し、かつ、各パターン割合表示データを前記各チャート画像に対応付けて表示するステップとを備えることを特徴とする相場情報表示方法。
【手続補正２】
【補正対象書類名】明細書
【補正対象項目名】０００５
【補正方法】変更
【補正の内容】
【０００５】
そこで、個々の構成要素の動向を表示しつつ、相場全体の状況を表示する方法として、前日終値からの値上がり率や値下がり率の大きさに応じて、識別し、それらを画面に配置することで、個々の動向と相場全体の動向を知る手法が考案されている。（「特開２００１−１０１２７６」価格変動を伴う相場対象における価格変動情報チャートの表示方法とその装置及びその表示物」及び特開平１１-２０３３５４「相場情報表示装置」）
【手続補正３】
【補正対象書類名】明細書
【補正対象項目名】０００９
【補正方法】変更
【補正の内容】
【０００９】
【課題を解決するための手段】
本発明による相場情報表示装置は、記憶手段と、パターン分類演算手段と、パターン割合表示作成手段と、表示手段とを備える。記憶手段は、複数の銘柄の株価情報を保存する。パターン分類演算手段は、各銘柄の株価情報に基づいて、各銘柄を複数の時系列パターンのいずれかに分類する。パターン割合表示作成手段は、各時系列パターンに分類された銘柄数に関するパターン割合表示データを時系列パターンごとに作成する。表示手段は、各時系列パターンのチャート画像を並べて表示し、かつ、各パターン割合表示データを各チャート画像に対応付けて表示する。これにより、相場全体を見ながら、相場を構成する動向の一覧を見ることができる。
好ましくは、パターン割合表示作成手段は、パターン割合表示データとして、各銘柄数に応じた面積を有するパターン割合表示画像を時系列パターンごとに作成し、表示手段は、各パターン割合表示画像を各チャート画像に対応付けて表示する。
好ましくは、相場情報表示装置は、各時系列パターンに分類された銘柄の株価情報を取得し、取得した株価情報に基づいてチャート画像を時系列パターンごとに作成するチャートパターン作成手段を備え、表示手段は、作成された各チャート画像を並べて表示する。
好ましくは、記憶手段は、各時系列パターンのチャート画像をあらかじめ保存し、表示手段は、あらかじめ保存された各チャート画像を並べて表示する。
【手続補正４】
【補正対象書類名】明細書
【補正対象項目名】００１０
【補正方法】変更
【補正の内容】
【００１０】
本発明による相場情報表示方法は、複数の銘柄の株価情報を保存するステップと、各銘柄の株価情報に基づいて各銘柄を複数の時系列パターンのいずれかに分類するステップと、各時系列パターンに分類された銘柄数に関するパターン割合表示データを時系列パターンごとに作成するステップと、各時系列パターンのチャート画像を並べて表示し、かつ、各パターン割合表示データを各チャート画像に対応付けて表示するステップとを備える。
【手続補正５】
【補正対象書類名】明細書
【補正対象項目名】００１２
【補正方法】変更
【補正の内容】
【００１２】
図２は、本発明を実施するための装置全体構成図であり、通信ネットワークを通じて、株価情報を配信する複数の証券取引所７と、該株価情報を受け取り、パターン分布情報表示データ（後述する）を作成し、出力する処理装置３と、該処理装置３が作成したパターン分布情報表示データを、通信ネットワーク２を通じて受信し、パターン分布情報１（後述する）を表示させる表示装置４から構成される。
【手続補正６】
【補正対象書類名】明細書
【補正対象項目名】００２０
【補正方法】変更
【補正の内容】
【００２０】
上述の表示装置４により送信された開始データを、通信ネットワーク２を通じて、データ通信部１５で受信し、開始データ部１８に送られる。開始データは、分類対象となる時系列データの始点と終点の時間データと、グループ記憶部１７に保存しているグループ番号により構成されている。開始データ部１８は、時間データとグループ番号をパターン分類演算部１９へ送る。
【手続補正７】
【補正対象書類名】明細書
【補正対象項目名】００３６
【補正方法】変更
【補正の内容】
【００３６】
ただし、上記にあげた２例の分類アルゴリズムは、本発明であるパターン分布情報を、制約するものではない。例えば、複数のパターン分類アルゴリズムを記憶しているパターン記憶部を設けてやり、利用者が、該パターン記憶部から、アルゴリズムを選択することも可能である。
【手続補正８】
【補正対象書類名】明細書
【補正対象項目名】００３８
【補正方法】変更
【補正の内容】
【００３８】
表示用データ作成部２０は、図１５に示すように、パターン割合表示部１１に表示されるパターン割合表示データを作成するパターン割合表示作成部２３と、チャートパターン表示部１２に表示されるチャートデータを作成するチャートパターン作成部２４と、着色するための色データや、場合によっては、図１７のようなチャートパターンデータや、表示装置４で表示するためのパターン割合表示部１１とチャートパターン表示部１２の縦横の大きさや表示位置のフォーマットデータが記憶されている表示用データフォーマット部２５と、出力用メモリ２６で構成される。
【手続補正９】
【補正対象書類名】明細書
【補正対象項目名】００４３
【補正方法】変更
【補正の内容】
【００４３】
そして、チャートパターン作成部２４は、該パターン分類結果テーブル｛ＣＤｉ×Ｐｊ｝に基づいて、該パターン番号Ｐｊに属する銘柄リスト｛ＣＤｎ、ＣＤｍ、…｝の時系列データを各時間ごとに平均した時系列データを表示装置４で表示できるチャートデータを作成する。この際、該パターン番号Ｐｊに該当する銘柄数Ｃｊが、０の場合、時系列データが、すべての時間において、０である場合のチャートデータを作成するものとする。
【手続補正１０】
【補正対象書類名】明細書
【補正対象項目名】００４４
【補正方法】変更
【補正の内容】
【００４４】
そして、チャートデータの具体例として、表示装置４上でパターン分布情報をＷＥＢブラウザで見る場合、図１６のようにＧＩＦ形式の画像データを作成する。また、ＪＡＶＡアプレットで見る場合は、該時系列データそのものを作成する。そして、作成されたチャートデータは、出力用メモリ２６へ出力され、表示データ出力開始フラグを、出力制御部２１へ送る。
【手続補正１１】
【補正対象書類名】明細書
【補正対象項目名】００４５
【補正方法】変更
【補正の内容】
【００４５】
また、表示用データフォーマット部２５には、図１７のように、パターン分類結果の特徴を表すチャートパターンデータをあらかじめフォーマットデータとして保存することもできる。これは、チャートパターン作成部２４で作成された該チャートデータとともに表示装置４に送信し、表示装置４上で表示させるとき、所定のアクション（例えば、マウスの左クリックなど）によって、切り替えることで、パターン分類基準をより明確にすることができる。
【手続補正１２】
【補正対象書類名】明細書
【補正対象項目名】００４６
【補正方法】変更
【補正の内容】
【００４６】
そして、表示データ出力開始フラグを受け取った出力制御部２１は、出力用メモリ２６からパターン割合表示データとチャートデータと、表示用データフォーマット部２５からフォーマットデータを読み込み、データ通信部１５へ送る。データ通信部１５は、通信ネットワーク２を通じて、表示装置４へ送られる。
【手続補正１３】
【補正対象書類名】明細書
【補正対象項目名】符号の説明
【補正方法】変更
【補正の内容】
【符号の説明】 
１  パターン分類情報
２  通信ネットワーク
３  処理装置
４  表示装置
５  モニタ
６  コンピュータ
１１  パターン割合表示部
１２  チャートパターン表示部
１３  パターン表示部
１４  データ受信部
１５  データ通信部
１６  時系列データ記憶部
１７  グループ記憶部
１８  開始データ部
１９  パターン分類演算部
２０  表示用データ作成部
２１  出力制御部
２２  条件部
２３  パターン割合表示作成部
２４  チャートパターン作成部
２５  表示用データフォーマット部
２６  出力用メモリ
２７  条件出力部
２８  条件登録部
２９  データ通信部
３０  条件設定部
【手続補正１４】
【補正対象書類名】図面
【補正対象項目名】図１
【補正方法】変更
【補正の内容】
【図１】
2003132214.tif 000001
【手続補正１５】
【補正対象書類名】図面
【補正対象項目名】図５
【補正方法】変更
【補正の内容】
【図５】
2003132214.tif 000002
【手続補正１６】
【補正対象書類名】図面
【補正対象項目名】図１５
【補正方法】変更
【補正の内容】
【図１５】
2003132214.tif 000003